Podtech/llm-jp-corpus-v4-ja_patent huggingface dataset:
(57)【要約】      （修正有）【課題】空気調和器において、入りタイマー設定時に、アクチュエータでの消費電力を低減する。【解決手段】入りタイマー設定時の停止状態にある空気調和機において、電子制御装置１の制御部３からの指示信号５により電源部６からアクチュエータ２の電源供給を遮断することができる切替装置４を設けることにより、アクチュエータ２への電源を遮断し、待機時消費電流を流れなくし、アクチュエータ２における消費電力を低減することができる。【選択図】図１
2007225134.tif 000002
【特許請求の範囲】
【請求項１】
空気調和機の入りタイマー設定時に、電子制御装置の制御部からの制御信号によりアクチュエータの電源を遮断することができる切替装置を備えたことを特徴とする空気調和機。
【発明の詳細な説明】
【技術分野】
【０００１】
本発明は、入りタイマー設定時における停止状態の消費電力を低減することを特徴とした空気調和機に関するものである。
【背景技術】
【０００２】
従来、この種の空気調和機は、空気調和機が停止した状態では、消費電力を低減するため、アクチュエータの電源を遮断する切替装置を備えている（例えば、特許文献１参照）。
【０００３】
図２は、特許文献１に記載された従来の空気調和機の電子制御装置１とアクチュエータ２の関係を示すものである。図２に示すように、電子制御装置１とアクチュエータ２と制御部３からの指示により駆動するアクチュエータ２の電源を遮断する切替装置８から構成されている。
【特許文献１】特開２０００−２１３７９０号公報
【発明の開示】
【発明が解決しようとする課題】
【０００４】
しかしながら、前記従来の構成では、入りタイマー設定された停止状態では、制御部３が動作モードとなっているため、アクチュエータ２の電源を遮断する切替装置８が動作しており、空気調和機が停止状態にも関わらずアクチュエータ２での待機時消費電流により空気調和機として停止消費電力が大きいという課題を有していた。
【０００５】
本発明は、前記従来の課題を解決するもので、入りタイマーを設定した停止状態でも消費電力を小さくすることができる空気調和機を提供することを目的とする。
【課題を解決するための手段】
【０００６】
前記従来の課題を解決するために、本発明の空気調和機は、切替装置は、入りタイマー設定された空気調和機の停止状態において、アクチュエータの電源を遮断する機能を有する。
【０００７】
これによって、空気調和機の停止状態では、アクチュエータでの待機時消費電流を抑えることができる。
【発明の効果】
【０００８】
本発明の空気調和機は、入りタイマー設定時の空気調和機停止状態においても、消費電力を小さくすることができる。
【発明を実施するための最良の形態】
【０００９】
第１の発明は、空気調和機が入りタイマー設定した停止状態になると、電子制御装置の制御部から切替装置へ駆動信号を出力し、切替装置がアクチュエータへの電源供給を遮断する。
【００１０】
以下、本発明の実施の形態について、図面を参照しながら説明する。なお、この実施の形態によって本発明が限定されるものではない。
【００１１】
（実施の形態１）
図１は、本発明の第１の実施の形態における空気調和機の室内回路構成図である。電子
制御装置１と、電源部６と制御部３と制御部３によりアクチュエータ２の電源供給を制御する切替装置４を備え、アクチュエータ２が接続されている。アクチュエータ２は、切替装置４を経由して電源供給を受け、制御部３からの指示により駆動する。
【００１２】
空気調和機が停止状態の時は、制御部３のマイクロコンピュータからの指示信号７に基づき、制御部３自身が待機モードとなり且つ、切替装置を停止し、アクチュエータ２への電源供給を遮断する。
【００１３】
入りタイマー設定時の停止状態においては、空気調和機の動作開始までの間、制御部３は、動作モードになっているが、指示信号５により切替装置４が停止して、アクチュエータ２への電源供給を遮断する。入りタイマー設定時間になり空気調和気が動作するようになると制御部３から指示信号５により切替装置４が、アクチュエータ２が動作し空気調和機が動作する。
【産業上の利用可能性】
【００１４】
以上のように、本発明にかかる空気調和機は、空気調和機のタイマー設定時の停止状態において電子制御装置の消費電力を低減することができ、タイマー機能のある機器等の用途にも適用できる。
【図面の簡単な説明】
【００１５】
【図１】本発明の実施の形態１における空気調和機の室内構成図
【図２】従来の空気調和機の室内構成図
【符号の説明】
【００１６】
１  電子制御装置
２  アクチュエータ
３  制御部
４  切替装置
５  指示信号
６  電源部
７  指示信号
【図１】
2007225134.tif 000003
【図２】
2007225134.tif 000004
(57)【要約】【課題】  従来、拡大レンズ付腕時計は、その機種しか選べず腕時計を他の機種に換えたいと思った時、拡大レンズを付けることは難しく、また、ガラス面の保護を考えると平面状ガラス以外張り付けるものがない。【解決手段】  凸レンズ作用を持たせた半球状（サイクロイド）透明吸盤にしたことにより、文字盤が拡大され、軟質プラスチック樹脂の素材が厚みを増し、ガラス面を保護できるようにした。これにより、文字盤が読みづらくなった方やクロノグラフなどの目盛の細かい腕時計の視認性を高めたい方など、ガラス面の直径に合わせた吸盤を選べば、すぐ使用することができる。また、厚みが出たことにより、机、ドアなど硬い物の衝撃からガラス面を守ることができる。【選択図】図１
2007225583.tif 000002
【特許請求の範囲】
【請求項１】
軟質プラスチック樹脂（焼却しても有害なガスが発生しない素材など）で上部を半球状（サイクロイド）に盛りあげ、腕時計（市販品）のガラス面に合わせた直径に形成し、吸着させると文字盤が拡大し、ガラス面の傷を防止する着脱が簡単な半球状透明吸盤の腕時計用品。
【請求項２】
軟質プラスチック樹脂の半球状の厚さが薄い腕時計用品。
【請求項３】
軟質プラスチック樹脂に色付を施した請求項１及び２記載の腕時計用品。
【請求項４】
形状が異なる透明吸盤の腕時計用品。
【請求項５】
請求項４に色付を施した腕時計用品。
【発明の詳細な説明】
【技術分野】
【０００１】  本発明は、腕時計の文字盤拡大と保護を図った用品に関する。
【背景技術】
【０００２】  従来、拡大レンズ付腕時計や拡大鏡付腕時計などは、ケース本体に枠部を設けて、拡大レンズが付いたものであった（例えば、特許文献１参照。）。【０００３】  ガラス面の保護では、平面状のガラスに張り付けられる透明保護材がある（例えば、非特許文献１参照。）。
【特許文献１】特開平８−１２２４６１号  公報
【非特許文献１】「腕時計王  Ｖｏｌ．１０」，ＫＫベストセラーズ，２００２，Ｐ．５４
【発明の開示】
【発明が解決しようとする課題】
【０００４】  以上に述べた拡大レンズ付腕時計は、他の現行モデルの腕時計に施すとなると構造的に無理が生じ、後付けすることが難しい。【０００５】  ガラス面の保護では、平面状のガラスに張り付けられる透明保護材があるが、半球状には張り付けることができず、傷が深く入ると水が侵入し腕時計の故障原因となる。【０００６】  本発明は、このような問題を解決しようとするものであり、腕時計の文字盤の拡大とガラス面の保護を合わせもつ、着脱自在の透明吸盤を実現するものである。
【課題を解決するための手段】
【０００７】  本発明は、上記目的を達成するために、透明吸盤を半球状（できれば、サイクロイドという平面内において一直線上を円が滑ることなくころがるとき、円周上の一点が画く曲線。）に盛りあげることで、上部が凸レンズの作用となるように施したものである。【０００８】  ガラス面の保護では、透明吸盤の素材が、軟質プラスチック樹脂（できれば、焼却しても有害なガスが発生しない素材が好ましい。）で厚みをもたせた。【０００９】  上記の課題による作用は、透明吸盤が半球状になったことにより、凸レンズ作用が働き、腕時計の文字盤が拡大され、文字や目盛が見やすくなり視認性が高まる。【００１０】  ガラス面の保護の作用は、軟質プラスチック樹脂の弾力性が厚みを増したことにより高まり、硬い物からの衝撃を防止する。
【発明の効果】
【００１１】  上述したように本発明の腕時計の文字盤拡大、保護する透明吸盤は、上部を半球状にしたことにより文字盤が拡大され、文字や数字が読みづらくなった方や、目盛の細かいクロノグラフなどの機能をもった腕時計に付ければ、時間や計測を確認するうえで視認性が高くなり、ケース本体と文字盤を大きくする必要がなく、吸盤が透明なので腕時計自体のデザインを崩すことがないので腕時計を使用するほぼ全ての方に提供できる。【００１２】  また、ガラス面の保護では、吸盤の素材である軟質プラスチック樹脂などの弾力性をもった半球状に形成を施したことにより厚みが増し、生活上の動作で起こりうる硬い物質（机やドアなど）からの衝撃を防止することができる。そして様様な形に加工すれば、直径の大きさを変えたり、四角形のガラス面のものも使用可能と思われる。また、吸盤中心は真空状態を保っているので吸着がよく、ガラス面の汚れやホコリ、穴が空いているか指で引っかけない限り落ちる可能性が低く、傷んだ場合、交換することができる。
【発明の実施するための最良の形態】
【００１３】  以下、本発明の実施の形態を図１に基づいて説明する。
【００１４】  図１においては、軟質プラスチック樹脂（できれば、焼却しても有害なガスが発生しない素材が好ましい。）で上部を半球状（できれば、サイクロイドという平面内において一直線上を円が滑ることなくころがるとき、円周上の一点が画く曲線。）に盛りあげた透明吸盤１を、腕時計（市販されている現行モデルなど）のケース本体２のガラス面３に合わせた直径に形成する。
【図面の簡単な説明】
【００１５】
【図１】本発明の実施形態を示す吸着前の側面図
【図２】本発明の使用状態を示す吸着後の側面図
【符号の説明】
【００１６】１  軟質プラスチック樹脂製半球状透明吸盤
２  腕時計（市販品）のケース本体
３  ガラス面
４  硬い物質（机・ドアなど）
【図１】
2007225583.tif 000003
【図２】
2007225583.tif 000004
(57)【要約】      （修正有）【課題】料理をする時、丸金具でひとまとめにしてある従来の計量スプ−ンでは、それぞれの分量が計りづらく、また１本だけ使用しても全部を洗わなければならなかった。またバラバラにすれば必要な時に見あたらないなど不便であった。【解決手段】大、中、小の計量スプ−ンの柄にそれぞれマグネット１を付けた。柄のマグネットを合わせれば３本が１本にまとまる。使用時は、必要なものだけ離して使う。料理中には、流し台や換気扇のフ−ド、冷蔵庫などにくっつけて置くこともできて便利である。【選択図】図１
2007225580.tif 000002
【特許請求の範囲】
【請求項１】
マグネット付きで、離したりくっつけたりできる計量スプ−ン
【発明の詳細な説明】
【発明の詳細な説明】
【発明の属する技術的分野】
【０００１】この発明は、大、中、小の計量スプ−ンの柄にマグネットを付けたもので、ひとつにまとめたり、離したりできるようにしたものである。
【背景技術】
【０００２】従来は、このような器具はなかった。
【発明が解決しようとする課題】
【０００３】料理をする時、丸金具でひとまとめにしてある従来の計量スプ−ンでは、それぞれの分量が計りづらく、また１本だけ使用しても全部を洗わなければならなかった。またバラバラにすれば必要な時に見あたらないなど不便であった。
【課題を解決するための手段】
【０００４】大、中、小の計量スプ−ンの柄にそれぞれマグネットを付けた。普段はバラバラにならないようにひとまとめにしておき、必要なものだけ離して使用する。料理中には、流し台や換気扇のフ−ド、冷蔵庫などにくっつけて置くこともできて便利である。
【発明を実施するための最良の形態】
【０００５】以下、本発明の実施の形態について説明する。
イ大、中、小の計量スプ−ンの柄にそれぞれマグネットを付けた。
ロ柄のマグネットを合わせると３本はひとまとめできる。
ハ離せば１本１本、必要な時に使用することができる。
【発明の効果】
【０００６】料理をする時、丸金具でひとまとめにしてある従来の計量スプ−ンでは、それぞれの分量が計りづらく、バラバラにすれば必要な時に見あたらないなど不便であったが、本発明品は普段は柄のマグネットを合わせて３本をひとまとめできる。また使用時は１本１本必要なものだけ離して使えるなど、大変重宝である。
【図面の簡単な説明】
【図１】本発明品の形態図である。
【図２】３本を１本にまとめたところ
【符号の説明】
１マグネット
【図１】
2007225580.tif 000003
【図２】
2007225580.tif 000004
(57)【要約】【課題】広告主のところに集まる消費者の客単価を広告主が自由にコントロールできるようにすることと、広告料金の歩合制を円滑に行うことと、広告主のところにきた消費者にクーポンによって新鮮味を与えて消費者をリピーターにすることを促す。【解決手段】図１に示すように、本広告効果の計測方法とその計測方法を用いた広告方法は内部にカプセル１５を保有し、コインを入れるとそのカプセル１５を出して消費者に渡す仕組みがある計測器具１３を広告者１１が広告を見た消費者１４の人数を計測するために広告主１２に設置する。【選択図】  図１
2007225979.tif 000002
【特許請求の範囲】
【請求項１】
広告による広告効果を計測する手段と、広告を見た消費者に一度に一つ以上の広告またはクーポンまたはその他の多様なものを渡す手段を兼ね備えた計測器具を、広告主の店舗に設置することによる広告効果の計測方法及びその計測方法を用いた広告方法。
【請求項２】
請求項１における広告によって店舗に来た消費者の人数を、広告者と広告主の両者が計ることができる計測器具を、広告主の店舗に設置することによる広告効果の計測方法及びその計測方法を用いた広告方法。
【請求項３】
請求項１における広告を見た消費者に一度に一つ以上の広告またはクーポンまたはその他多様なものを渡す手段は偶発的要素を利用してクーポンを消費者に渡すことを特徴とする計測器具を、広告主の店舗に設置されることを特徴とする広告効果の計測方法及びその計測方法を用いた広告方法。
【請求項４】
請求項１及び請求項２及び請求項３に記載されている計測器具は、図のように内部にカプセルを保有し、コインを入れるとそのカプセルが出てくる仕組みがあり、広告主の店舗に設置されることを特徴とする広告効果の計測方法及びその計測方法を用いた広告方法。
【発明の詳細な説明】
【技術分野】
【０００１】
本発明は、実在の個人と法人と店舗とその商品、通信販売における個人と法人と店舗とその商品、インターネットのウェブページ、その他の法人と店舗と個人と商品の広告及びクーポンや割引券を用いた広告効果の計測方法及び広告方法に関する。
【背景技術】
【０００２】
従来、広告主は広告料金を定額制で広告者に支払って広告を行っている。
しかしながら、それは広告主と広告者の両者が、広告を見て店に来た消費者の人数を明確にカウントできなかったのでトラブルがおきやすく、料金体系に歩合制を一部または完全に導入することが難しかったために定額制にしていた。
また、広告料金が定額制だったために、広告主間での価格競争がうまれ、広告には消費者が望むような安いクーポンをのせなければならなかったために、広告主の利益は圧迫され、客単価は下がっていた。
【発明の開示】
【発明が解決しようとする課題】
【０００３】
上述の如く、従来技術に係る広告は、広告主の利益を上げた場合にのみ有効に働く機能であり、広告自体は消費者を集めるということはあっても、積極的に客単価をあげるわけではなく、むしろ広告主を多く募ることによって広告主間の価格競争がおきて逆に客単価が下がってしまうために、広告主の利益を上げる効果の確保は難しかった。
さらに、消費者を呼べない場合でもかかってしまっていた定額制の広告料金は、広告主の視点からみるとリスクの高い広告であった。
しかし、歩合制にすると、その広告効果の計測を広告者と広告主の両者が明確に把握することは難しかったためにトラブルがおきやすかった。
【０００４】
また、従来のクーポンはあらかじめ広告にのせていたクーポン内容を実行するだけで、あらかじめクーポン内容を知っていた消費者にクーポンにおける新鮮味を与えることでリピーターに特化した広告をするということも難しかった。
【０００５】
本発明では、このような点に鑑みて成されたものであり、その目的は広告主のところに集まる消費者の客単価を広告主が自由にコントロールできるようにすることと、広告料金の歩合制を円滑に行うことと、広告主のところにきた消費者にクーポンによって新鮮味を与えて消費者をリピーターにすることを促すことにある。
【課題を解決するための手段】
【０００６】
上述の目的を達成する本発明の広告効果の計測方法とその計測方法を用いた広告方法は、広告による広告効果を計測する手段と、広告を見た消費者に一度に一つ以上の広告またはクーポンまたはその他の多様なものを渡す手段を兼ね備えた計測器具を、広告主の店舗に設置することを特徴とする。
【０００７】
一例として前記広告による広告効果を計測する手段は広告によって店舗に来た消費者の人数を、広告者と広告主の両者が計ることができる計測器具を、広告主の店舗に設置することを特徴とする。
【０００８】
一例として前記広告を見た消費者に一度に一つ以上の広告またはクーポンまたはその他の多様なものを渡す手段は広告を見た消費者に一度に一つ以上の広告またはクーポンまたはその他多様なものを偶発的要素を利用して消費者に渡すことを特徴とする。
【０００９】
一例として前記計測器具は、図のように内部にカプセルを保有し、コインを入れるとそのカプセルが出てくる仕組みがあり、広告主の店舗に設置されることを特徴とする。
【発明の効果】
【００１０】
以上説明したように本発明によれば、広告主と広告者の両者が、広告を見て店に来た消費者の人数を明確に計測できるようになったので広告料金を歩合制にしやすく、歩合制にしてもトラブルが少なくなる。
広告料金を歩合制にすると高いクーポンを乗せて消費者があまり来なくても損をしない。
ゆえに広告主は価格競争を意識することなく、クーポンを使用するための価格条件を高く設定することで客単価を上げることができる。
クーポンまたはその他の多様なものはカプセルの中に入っており空けて見るまでクーポンまたはその他の多様なものの内容がわからないのでドキドキ感が味わえ、消費者に楽しみや次回来店時のクーポンを与えることができるのでリピーターの獲得につなげることができる。
【発明を実施するための最良の形態】
【００１１】
以下、本発明の実施の形態を図面に基づき詳細に説明する。
【００１２】
図１に示すように、本広告効果の計測方法とその計測方法を用いた広告方法は内部にカプセル１５を保有し、コインを入れるとそのカプセル１５を出して消費者に渡す仕組みがある計測器具１３を広告者１１が広告を見た消費者１４の人数を計測するために広告主１２に設置する。
【産業上の利用可能性】
【００１３】
本発明は実在の個人と法人と店舗とその商品、通信販売における個人と法人と店舗とその商品、インターネットのウェブページ、その他の法人と店舗と個人と商品を基礎として、有用な広告及びクーポンや割引券を用いた広告効果の計測方法及びその計測方法を用いた広告方法を用いる産業分野で利用することができる。
【図面の簡単な説明】
【００１４】
【図１】本発明の実施の形態に係る広告効果の計測方法とその計測方法を用いた広告方法の概要図である。
【符号の説明】
【００１５】
１１        広告者
１２        広告主
１３        計測器具
１４        広告を見た消費者
１５        カプセル
【図１】
2007225979.tif 000003
(57)【要約】【課題】  自然の叡知と言われている稲妻、偏西風、風流、海流、河川流、波、海岸、山、砂漠の凹凸や、植物の樹枝、雪の結晶の成長や、信号の送電中のノイズ、人体の血管の分布等は自己相似集合ですが、当歯車も連続自己相似集合となり、電車、自動車、船舶、回転機器等に活用すると、増エネや省エネが図れ、水力発電、火力発電、風力発電等に活用すると、創エネが図れてクリーンなエネルギーが大量に得られる、フラクタル歯車を提供する。【解決手段】  直線上に半円の凹凸を描き、その上に半々円の凹凸を描くと、連続自己相似集合のフラクタル曲線（１）となり、円盤上に半円の凹凸を加工し、その上に半々円の凹凸を加工すると、連続自己相似集合のフラクタル歯車（２）となり、歯車の歯数と噛み合わせる個数を増やすと、数量に比例して回転効率が上がるフラタル歯車である。【選択図】図２
2007225100.tif 000002
【特許請求の範囲】
【請求項１】
直線上に半円の凹凸を描き、その上に半々円の凹凸を描くと、連続自己相似集合のフラクタル曲線（１）となり、円盤上に半円の凹凸を加工し、その上に半々円の凹凸を加工すると、連続自己相似集合のフラクタル歯車（２）となり、歯車の歯数と噛み合わせる個数を増やすと、数量に比例して回転効率が上がるフラタル歯車。
【発明の詳細な説明】
【技術分野】
【０００１】  この発明は、フラクタル曲線とフラクタル歯車に関するものである。
【背景技術】
【０００２】  従来は、フラクタル曲線とフラクタル歯車は存在しない。
【発明が解決しようとする課題】
【０００３】  これらには次のような欠点があった。
（イ）従来の歯車は、回転効率に上限がある。
（ロ）歯車の歯数を増やしても、回転効率には上限がある。
（ハ）歯車の個数を増やしても、回転効率は小幅しか上がらない。
以上の欠点を解決するためになされたものである。
【発明を解決するための手段】
【０００４】  直線上に半円の凹凸を描き、その上に半々円の凹凸を描くと、連続自己相似集合のフラクタル曲線（１）となり、円盤上に半円の凹凸を加工し、その上に半々円の凹凸を加工すると、連続自己相似集合のフラクタル歯車（２）となり、歯車の歯数と噛み合わせる個数を増やすと、数量に比例して回転効率が上がるフラタル歯車である。
【発明を実施するための最良の形態】
【０００５】  以下、本発明の実施の形態を説明する。
（イ）直線上に半円の凹凸を描き、その上に半々円の凹凸を描くと、連続自己相似集合のフラクタル曲線（１）となる。
（ロ）円盤上に半円の凹凸を加工し、その上に半々円の凹凸を加工すると、連続自己相似集合のフラクタル歯車（２）となる。
【発明の効果】
【０００６】  （イ）歯車の歯数を増やすと、数量に比例して回転効率は上がる。
（ロ）歯車の噛み合わせる個数を増やすと、数量に比例して回転効率は上がる。
（ハ）（イ）と（ロ）を組み合わせると回転効率は大幅に上がる。
（ニ）電車、自動車、船舶、回転機器等に活用すると、増エネや省エネが図れる。
（ホ）水力発電、火力発電、風力発電等に活用すると、創エネが図れてクリーンなエネルギーが大量に得られる。
（ヘ）広範囲に活用すると、現世代の資源消費や環境汚染が抑えられ、地球を前は代の自然環境に戻してから次世代に引き渡せる。
【図面の簡単な説明】
【図１】  本発明のフラクタル曲線（３×５）の正面図
【図２】  本発明のフラクタル歯車（１０×５）の正面図
【符号の説明】
１  フラクタル曲線（３×５）
２  フラクタル歯車（１０×５）
【図１】
2007225100.tif 000003
【図２】
2007225100.tif 000004
(57)【要約】      （修正有）【課題】後続車に運転者の意思を伝えることができない問題を解決すること。【解決手段】自動車のリアガラス３に運転者の意思を後続車に伝えるための点灯式標識１を吸盤２などで取り付ける。点灯標識は初心者マーク、メッセージボード等との組合せを特徴とする。照明は、案内標識等に点灯・点滅照明を取り付けることにより解決する。【選択図】    図３
2007099250.tif 000002
【特許請求の範囲】
【請求項１】
自動車のリアガラスに取り付ける運転者の意思を後続車に伝えるための点灯式標識。
【請求項２】
後続車に伝える初心者マーク、メッセージボード等との組み合わせを特徴とする点灯式標識。
【発明の詳細な説明】
【技術分野】
【０００１】  本発明は、点灯、点滅照明を利用し、自動車内の案内標識等に工夫を加えることによって、後続車の視認性を高め、運転者の意思を後続車に伝えるようにしたものである。
【背景技術】
【０００２】  従来、後続車のライトの反射発光を利用して視認するだけの標識である。
【発明の開示】
【本発明が解決しようとする課題】
【０００３】  渋滞中の車線変更後等にハザードランプを点灯することにより、後続車に感謝の意思を伝える等の本来の使用方法とことなる行為をせずに後続車に運転者の意思を伝えることを課題とする。
【課題を解決するための手段】
【０００４】  この課題を解決するための
【請求項１】
の発明は、従来からある案内標識等を利用しつつ点灯、点滅照明を利用することにより、後続車に対し感謝の気持ちをマーク、メッセージ等により伝えることができる。
【０００５】  従来からある標識（初心運転者標識、安全運転メッセージ標識）を利用することにより、運転者が後方を確認する場合の視野を確保することができる。
【発明の効果】
【０００６】  本発明により、ハザードランプを点灯することにより、後続車に感謝の意思を伝える等の本来の使用方法とことなる行為をせずに後続車に運転者の意思を伝えることができる。
【０００７】  後続車に対し感謝の気持ちをマーク、メッセージ等により伝えることができ、譲り合いの精神と相手を思いやる安全運転の心が育つ。
【発明を実施するための最良の形態】
【０００８】  図１は、自動車のリアガラスに吸盤等で取り付ける、初心者マーク、メッセージボード等である。【０００９】  図２は、運転者がスイッチを押しタイマーにより一定の時間点灯、点滅するメッセージ、感謝マーク等である。スイッチを押し点灯、点滅した時のみメッセージ、感謝マークが後続車に見え、通常メッセージ、感謝マーク等は見えない。【００１０】  点灯式標識をリアガラスに固定する物は、吸盤、粘着板等により取り付ける。【００１１】  点灯、点滅する電球は視認が高まるものであれば良く、発光ダイオード等を使用しても良い。
【産業上の利用可能性】
【００１２】  本発明に係るタイマー付点灯式案内標識は、工業的に量産することが可能であるため、産業上の利用可能性を有する。
【図面の簡単な説明】
【００１３】
【図１】  自動車のリアガラスに取り付ける初心者マーク（案内標識）である。
【図２】  本発明の運転者がスイッチを押し、一定の時間タイマーにより点灯、点滅した状熊である。
【図３】  本発明の断面図である。
【符号の説明】
【００１４】    １    初心者マーク（案内標識）
２    吸盤
３    自動車のリアガラス
４    メッセージが点灯、点滅している状態
５    タイマー付スイッチ
【図１】
2007099250.tif 000003
【図２】
2007099250.tif 000004
【図３】
2007099250.tif 000005
(57)【要約】【課題】  自動車の乗降する際に、広げたままの傘を片手で保持具に一時保持させることにより両手を自由にすること。【解決手段】  挿入部になる湾曲先端部をテーパーに加工した傘の柄を傘に取り付け、子供やお年寄りなどを乗車させる席の自動車のドアガラス室内側に保持部の挿入口が上になるように自動車に装着し、傘に装着させた挿入部を保持部に挿入する事で傘を保持させる。【選択図】    図１
2007099253.tif 000002
【特許請求の範囲】
【請求項１】
傘の柄湾曲先端部をテーパーにして挿入部とし、自動車の室内に挿入部と同形状の挿入口を持った保持部を装着し、傘の柄湾曲先端部の挿入部を保持部に挿入する事で傘を保持させるようにした事を特徴とする自動車用簡易傘保持具。
【請求項２】
保持部の挿入部挿入口と挿入部の横断面を楕円形にする事により挿入部が保持部内での回転を防止するようにした事を特徴とする請求項１に記載の自動車用簡易傘保持具。
【発明の詳細な説明】
【技術分野】
【０００１】  本発明は、種々の自動車に装着し、降雨時の乗降の際に、広げた雨傘を一時的に保持・固定することができる自動車用簡易傘保持具に関する。
【背景技術】
【０００２】  従来、自動車用傘固定具として特許文献１に開示された発明は傘の柄部分に大きな器具を装着する事で日常使用の際に非常に邪魔になる物だった、また特許文献２に開示された発明は傘を保持具に取り付ける際、片手に傘を持ちもう一方の手で保持具の準備をするという両手で行わなくてはならないものだった。【０００３】
【特許文献１】特許公開２００１−１３８８１８
【特許文献２】特許公開２００４−８２９８３
【発明の開示】
【発明が解決しようとする課題】
【０００４】  本発明の課題は、雨傘を差して自動車に乗降する際に、広げたままの傘を片手で保持具に一時保持させることにより両手を自由にすることができ、傘の日常に使用の際にも邪魔にならず実用性に優れた簡単な構造の自動車用簡易傘保持具を提供することにある。
【課題を解決するための手段】
【０００５】  上記課題達成のためには傘の柄部分と自動車に装着される器具を共に小型化する事により傘は日常使用での不具合・デザインの損失を無くし、自動車は乗降の際の障害や車内の美観を損なわない、更に簡単な構造にする事により片手での保持具への脱着が可能な自動車用簡易傘保持具を製作する事にした。
【発明を実施するための最良の形態】
【０００６】  本発明の挿入部になる湾曲先端部をテーパーに加工した傘の柄を傘に取り付ける。【０００７】  本発明の保持部背面の吸盤部分を子供やお年寄りなどを乗車させる席の自動車のドアガラス室内側に吸着させ、保持部の挿入口が上になるように自動車に装着する。【０００８】  上記の２つで本発明の自動車用簡易傘保持具の使用準備が完了になる。このように簡単な作業で使用可能になる事も特徴となっている。【０００９】  このようにあらかじめセットをしておき、降雨時に子供やお年寄りなどを乗降させるドアを開き、挿入部の装着された傘を開いた状態で保持部に挿入部を挿入する。【００１０】  挿入後は保持部テーパー面と挿入部テーパー面が接触し固定される。更に固定後は保持部の挿入部挿入口と挿入部の横断面を楕円形にした事により、挿入部が保持部内での回転を防止する【００１１】  本発明の自動車用簡易傘保持具により傘は開いた状態で地面に対し垂直に保持され雨に濡れる事なく両手の自由が得られ、子供やお年寄りなどの乗降を助ける事や荷物の積み下ろしなどが容易にできるようになる。
【発明の効果】
【００１２】  本発明により降雨時の自動車乗降の際に片手で簡単に開いた状態の傘を一時保持が可能になる、また傘の日常使用時の邪魔な器具や自動車に装着させる大きな器具も不要にする事ができる。
【図面の簡単な説明】
【００１３】
【図１】自動車用簡易傘保持具を示す側面図である。
【図２】自動車用簡易傘保持具の保持部を示し、（ａ）は上面図（ｂ）は側面図（ｃ）は正面図である。
【図３】自動車用簡易傘保持具の挿入部を示し、（ａ）は側面図（ｂ）は正面図（ｃ）は下面図である。
【符号の説明】
【００１４】  １自動車用簡易傘保持具
２傘
３自動車ドアガラス
４保持部
４ａ挿入部挿入口
４ｂ保持部テーパー面
４ｃ吸盤
５挿入部
６傘の柄
【図１】
2007099253.tif 000003
【図２】
2007099253.tif 000004
【図３】
2007099253.tif 000005
(57)【要約】【課題】  従来は、シートベルトを着用したとき、首ずれし、頭がふらつき、肩が凝り、胸に圧迫感があった、車から降りるときは車の機種により、シートベルトが弛みドアを閉めるとき危なく、シートベルトカバーをその都度直すか、外したりして、面倒だった、また、搭乗者は、疲れても、我慢していた。【解決手段】  シートベルトカバー及びハート枕は、クッション製があり、肌にやさしい布製のシートベルトカバーにハート枕を着けた、ハート枕は、取り外しが可能である、また、ハート枕には肩に当たる部分に遠赤外線とマイナスイオン効能があるシリコンボールを設けた、これにより、シートベルトをしてもリラックスして乗車ができる、シートベルトカバーは、肩に当たる部分の長さなので、違和感が無く着用できる、またハート枕は、凹んでいる部分が、首の安定感があり、頭を保護し身体にやさしく健康に良い。【選択図】図１
2007099252.tif 000002
【特許請求の範囲】
【請求項１】
シートベルトが首に当たりすれるのを防止し、リラックスして乗車できるように、シートベルトカバーにハート枕を着けた、ハート枕は、健康に良いマイナスイオンと遠赤外線の効能があるシリコンボールを肩の当たる部分に設け、シートベルトを快適にし、乗車できるようすることを特徴とする、シートベルトカバー及びハート枕。
【請求項２】
前記ハート枕は、肩に当たる部分だけの小型で、取り外しが可能であり、ハート枕を外し、シートベルトカバーだけでも使用できる、ハート枕の凹んでいる部分は首を支え、頭の安定感を保てる、シートベルトカバーに枕を着けた健康に良いことを特徴とする、シートベルトカバー及びハート枕。
【発明の詳細な説明】
【技術の分野】
【０００１】  本発明は、助手席、または、運転席でシートベルトを着用したとき、首や肩の疲れをリラックスさせてくれる、健康に良い、シートベルトカバー及びハート枕に関する。
【背景技術】
【０００２】  従来のシートベルトは、襟なし洋服を着ていた時などは、首ずれし痛かった、また、三つ折のシートベルトカバーをしても、車の機種によっては、シートベルトを外した時、シートベルトカバーが長く、違和感があり、ドアを閉めるとき、シートベルトを直すか、シートベルトカバーを外していた、また、搭乗者は疲れても我慢をしていた。
【発明の開示】
【発明が解決しようとする課題】
【０００３】  以上に述べた従来のシートベルトは、運転席はもちろんの事、搭乗席でも、襟なし洋服を着ていたときは、首ずれし痛く、シートベルトカバーを着用しても、肩が凝り疲れた、また、長距離した時は特に、頭が重く、身体全体が疲れた。【０００４】  本発明は、このような従来のシートベルトを着用した場合、首ずれを防止し、身体の疲れ、肩が凝るのを解決し、リラックスできる健康に良い、シートベルトカバー及びハート枕を提供する課題とする。
【課題を解決するための手段】
【０００５】  以上の課題を解決するために、第一発明は、図１−５シートベルトカバーに図１−１ハート枕を着けた、ハート枕は、遠赤外線とマイナスイオン効能が特徴なシリコンボールを肩に当たる場所に設けた、健康に良い、シートベルトカバー及びハート枕である。【０００６】  第二発明によれば、シートベルトカバーとハート枕は肌にやさしい布製でクッション製もある、ハート枕は、取り外しが可能で、シートベルトカバーだけでも使用できる、また、ハート枕は、コンパクトなので使わない時でも邪魔にならず、左肩、右肩に簡単に移動できる、健康に良い、シートベルトカバー及びハート枕である。【０００７】  第三発明によれば、シートベルトカバーは、圧迫感が無いように、肩に当たる部分の長さにした、また、機種が違うシートベルトでも対応できる、シートベルトカバー及びハート枕である。
【発明の効果】
【０００８】  第一発明、第二発明、第三発明によれば、シートベルトを着用しても、シートベルトカバー及びハート枕があれば、運転席も、助手席もリラックスができる、首の疲れや肩こりを解消し、安全で健康に良いシートベルトカバー及びハート枕である。【０００９】  ハート枕は取り外せるので、シートベルトカバー、だけで使用できる、また、ハート枕の凹んでいる部分は首を支え、頭の安定感を保ってくれる、シートベルトカバー及びハート枕である。
【発明の実施するための最良の形態】
【００１０】  以下、本発明の実施の形態を図１〜図６に基づいて説明する。
【００１１】  図１−５シートベルトカバーに、図１−１ハート枕を首の当たる部分に着けた右用シートベルトカバー及びハート枕である。
【００１２】  図２は左用シートベルトカバー及びハート枕である、４ハート枕止めゴムを３ボタンに掛け、５シートベルトカバーと１ハート枕を取り付けた図である。
【００１３】  図３は、右用の５シートベルトカバーを開いた状態で、７と８のマジックテープが２箇所で、シートベルトを挟む。
【００１４】  図４は左用５シートベルトカバーを開いた状態で、図３と同様マジックテープ２箇所でシートベルトを挟む。
【００１５】  図５はハート枕右用で、遠赤外線とマイナスイオンの効能がある、２シリコンボールを肩に当たる部分に設けた、３ボタンは、図１−５シートベルトカバーを図１−４で止めるためのボタンである。
【００１６】  図６は、ハート枕左用で、左肩に２が当たるように設けた、３は図１−５を図１−４で止めるボタンである。
【実施形態の効果】
この実施形態によれば、シートベルトに、シートベルトカバー及びハート枕を使用すれば、首を保護し、頭の安定感を保ちリラックスして乗車できる、また、ハート枕は、取り外しが可能であり、コンパクトなので、邪魔になることはない、シートベルトカバー及びハート枕は、左用と右用があるので、自分の肩の凝りに合わせて、ハート枕を使用できる。
【図面の簡単な説明】
【００１６】
【図１】シートベルトカバー及びハート枕右用の斜視図
【図２】シートベルトカバー及びハート枕左用の斜視図
【図３】シートベルトカバー右用を開いた状態の斜視図
【図４】シートベルトカバー左用を開いた状態の斜視図
【図５】ハート枕右用の斜視図
【図６】ハート枕左用の斜視図
【図７】シートベルトカバー及びハート枕を使用した図
【図８】従来のシートベルトカバーの図
【符号の説明】
【００１７】        １．ハート枕
２．シリコンボール
３．ボタン
４．ハート枕止めゴム
５．シートベルトカバー
６．ゴム
７．マジックテープ
８．マジックテープ
９．シートベルト
１０．従来のシートベルトカバー
【図１】
2007099252.tif 000003
【図２】
2007099252.tif 000004
【図３】
2007099252.tif 000005
【図４】
2007099252.tif 000006
【図５】
2007099252.tif 000007
【図６】
2007099252.tif 000008
【図７】
2007099252.tif 000009
【図８】
2007099252.tif 000010
(57)【要約】      （修正有）【課題】ボブスレーにハンドルを付けて子供を乗せるようにしたものである。従来は、浅い面にロープを付けたものであるため、子供にとって単なる乗るものに過ぎなかったが、ハンドル一つをつけることによって子供が、興味を持ち安全に楽しめるモノとして提供する。【解決手段】オープンカーの様な型にし、ハンドルを付け、背もたれ部分を設け座っても姿勢がくずれないようにする。  また、背もたれ部分の裏側には荷物を置くスペースを設けることで買い物等の荷物を載せることができる。【選択図】図１
2007099251.tif 000002
【特許請求の範囲】
【請求項１】
ボブスレーにプラスチックハンドルを付け、背もたれ部分を設ける。
【請求項２】
背もたれ部分の裏側にスペースを設け荷物を載せることができるようにする。
【請求項３】
ボブスレーの形をオープンカーのような車型にする。
【請求項４】
プラスチックの窓を付ける。
【発明の詳細な説明】
【技術分野】
【０００１】  本発明は、積雪がある場所で子供（乳幼児）を乗せて引っ張るものである。
【背景技術】
【０００２】  乳幼児のいる家庭では、ベビーカーが使用できない冬期の雪の降る地での買い物は大変不便である。従って、よくボブスレーを使って買い物をしているのを見かけるが、ボブスレーに乗ることがで  きるのは３，４歳位からである。
【発明の開示】
【発明が解決しようとする課題】
【０００３】  子供をボブスレーに乗せるためには、ボブスレーに乗りたいという興味をボブスレーに付加することである。それは「ハンドル」である。子供は、男の子も女の子もハンドルが好きである。
【課題を解決するための手段】
【０００４】  オープンカーの様な型にし、ハンドルを付け子供が前のめりにならないように背もたれを付け安全ベルトを付ける。背もたれ部分の裏側にはトランクのように荷物を載せることができるスペースを設ける。
本発明は、子供が楽しんでボブスレーに乗せることができるものである。
【発明の効果】
【０００５】  ボブスレーを車型にすることによって子供は安全に楽しみながら乗ることができ、親は安心して道路を歩くことができる。
買い物でなくても保育所の送迎にボブスレーを使用することによって、親は精神的、肉体的に従来とは比較できないほど楽になることは間違いない。
また、その型も外車のような型、スポーツカー型またキャラクター型、飛行機型、電車型といったように様々な型で親や子供を楽しませることができる。
車好きならスポーツカー型といったように。
このような型なら玄関に置いてもおしゃれにインテリアとしても充分である。従来の単なるボブスレーを越えた、親も子供も楽しめる、そして人々の目を釘付けにすることになるであろう。
【発明を実施するための最良の形態】
【０００６】  以下、本発明の実施の形態を説明する。
（イ）ボブスレーにハンドルを付け背もたれ部分を設ける。
（ロ）安全ベルトをつける。
（ハ）ボブスレーを引っ張るロープ（ひも）をつける。
（ニ）背もたれの裏側にもスペースを設け荷物を載せることができるようにする。
（ホ）ボブスレーの型をオープンカーのような型にする。
応用として
（ヘ）プラスチックで窓をつける。（フロントのみ）
（ト）二人乗り用に前と後ろにもハンドルを付ける。
（チ）型を車、キャラクター等、様々な型の乗り物にする。
【図面の簡単な説明】
【０００７】
【図１】本発明の側面図
【図１】
2007099251.tif 000003
(57)【要約】【課題】  味噌、梅干し、果実酒等いづれにしても一年に一度の作業である事が多く、簡単であるはずのレシピが瞬間自信がなくなり、材料を多く買い過ぎたり、時期を逸したりしがちであった。失敗なく手軽に作業に入りたかった。【解決手段】  仕込む容器そのものにレシピを明記する事により、一手間省けた感じで失敗なく作業に入り易い。【選択図】図１
2007099393.tif 000002
【特許請求の範囲】
【請求項１】
容器の外側に、材料と分量などのレシピが、容器を水洗いをしても消えない方法で明記されている容器。
【請求項２】
容器と同じ素材の凹凸によってレシピを明記した、請求項１に記載された容器。
【請求項３】
すでに形成されている容器に、その容器の素材に適した塗料で書き込む事によってレシピを明記した、請求項１に記載された容器。
【発明の詳細な説明】
【技術分野】
【０００１】  容器にレシピを明記する事で、今迄手造りをした事のない人が気軽に手造りに挑戦出来る事を目的とした。
【背景技術】
【０００２】  味噌を仕込む容器も、梅干し、果実酒等いづれを仕込む容器も容器は容器、レシピはレシピと別々である。レシピが明記された容器はない。
【発明の開示】
【発明が解決しようとする課題】
【０００３】  味噌、梅干し、果実酒等いづれも一年に一度の作業であるために簡単であると思い込んでいるレシピがうろ憶えであり、材料を多く買い込み過ぎて無駄にしたり、又分量を確認してからと時期を逸して買いそびれてしまう事もある。【０００４】  始めての仕込む材料に挑戦する時、容器の大きさが分らずに、つい大き目の容器を求めてしまい後々持て余す事もある。
【課題を解決するための手段】
【０００５】  仕込む容器そのものに仕込まれる適量の材料が明記してあれば便利である。
【発明の効果】
【０００６】  容器を用意すると同時にレシピが一目瞭然であるので、ひと手間省けた感じで、素早く行動に移せる。又材料を買い込み過ぎたり、始めての材料の仕込みの場合でも容器の大きさに関しての失敗は防ぐ事が出来る
【発明を実施するための最良の形態】
【０００７】  容器の大きさに対し最も適量のレシピが明記されているのが良い。
【産業上の利用可能性】
【０００８】  手造り食品は言うに及ばず、日曜大工のペンキとシンナーの割合や草花の土の混ぜ合せ等、あらゆる分野に応用が効く。店頭で容器を見付けただけで思はず挑戦したくなる人が増えると思はれる。
【図面の簡単な説明】
【０００９】
【図１】レシピが明記された“カメ”の斜面図である。
【図２】レシピが明記された果実酒用壜である。
【図３】漢字の一、二、三を明記した容器の正面図である。
【図４】漢字の一、二、三を容器と同じ素材の凹凸によって明記した容器の断面図である。
【符号の説明】
【００１０】  １  味噌等のレシピが明記された“カメ”
２  梅酒等のレシピが明記された果実酒用壜
３  それそれのレシピ
４  漢字の一、二、三を明記した容器
５  漢字の一、二、三
６  凸で明記した漢字の一、二
７  凹で明記した漢字の三
【図１】
2007099393.tif 000003
【図２】
2007099393.tif 000004
【図３】
2007099393.tif 000005
【図４】
2007099393.tif 000006
(57)【要約】【課題】  従来の封筒は、物を入れる袋状の胴部分に、封をする為のふた部分１が付いた物であるが、この形状の封筒に、近年、多くの人たちが使用するインクジェットプリンター等の機械で、宛名印刷等の印刷を行なった場合、機械の持つ、用紙頭合わせ機能によって、機械内を自動的に何度となく封筒が出し入れされるので、ふた部分１を折り曲げても、又、ふた部分１を伸ばしたままでも、印刷する時にふた部分１が機械に巻き込まれ、作業が中断し印刷作業の効率を低下させると共に、高価な機械を故障させる原因とも成っていた。【解決手段】  封筒のふた部分１で封をするときに、封をされる閉じ口付近の胴部分２に切り込み３を設けて、印刷時にふた部分１を切り込み部分３に差し込んで、ふた部分１が胴部分２に仮留めできるようにすることで、機械にふた部分１が巻き込まれない。【選択図】図１
2007099390.tif 000002
【特許請求の範囲】
【請求項１】
封筒の胴部分の閉じ口付近に切り込みを設け、その切り込み部分にふた部分を差し込んで、ふた部分を胴部分に仮留めすることができる特徴の封筒。
【発明の詳細な説明】
【技術分野】
【０００１】  この発明は、封筒のふた部分によって封をする時の、閉じ口付近の胴部分に設けた、切り込みに関する。
【背景技術】
【０００２】  従来の封筒は、図３に示すように、物を入れる袋状の胴部分に、封をするためのふた部分が付いた物である。
【発明の開示】
【発明が解決しようとする課題】
【０００３】  しかしながら、以上の技術によれば、近年、多くの人たちが使用するインクジェットプリンター等の機械で、この封筒に宛名印刷等の印刷を行なった場合、機械の持つ、用紙頭合せ機能によって、機械内を自動的に何度となく封筒が出し入れされるので、ふた部分を折り曲げても、又、ふた部分を伸ばしたままでも、印刷する時にふた部分が機械に巻き込まれ、作業が中断し印刷作業の効率を低下させると共に、高価な機械を故障させる原因とも成っている。
そこで、この発明は、インクジェットプリンター等で使用しても、ふた部分が機械に巻き込まれることの無い封筒を提供することを課題とする。
【課題を解決するための手段】
【０００４】  以上の課題を解決するための発見は、封筒の胴部分の閉じ口付近に切り込みを設け、印刷時にふた部分が機械に巻き込まれないように、ふた部分を胴部分に設けた切込みに差し込み、ふた部分を胴部分に仮留めすることができる特徴の封筒である。
【発明の効果】
【０００５】  上記の発明によれば、封筒のふた部分が機械に巻き込まれることが無いので、作業もしやすく、機械の故障もまねかない。
【発明を実施するための最良の形態】
【０００６】  この発明の二実施形態を、図１と図２に示す。
ふた部分で封をする時の、閉じ口付近の胴部分に、ふた部分を胴部分に差し込むことができるように、ふた部分の形状に合わせた、切込みが設けられている。【０００７】  この実施形状によれば、図１のふた部分１を切り込み部分３に差し込む事で、ふた部分１と胴部分２が仮留めされて、ふた部分１が機械に巻き込まれない。
図１でも十分に用件は達成されるが、図１の場合、ふた部分１で封をするときに、切り込み部分３が、ふた部分１で隠れないので、図２のように、ふた部分１を折り込み式にし、封をするときに、ふた部分１の折り込みを開いて封をすることで、切り込み部分３を少なくする効果と、封をするときに、ふた部分１によって切り込み部分３が、全て隠れる効果をもたらす事ができる。【０００８】  他の実施形態としては、図１と図２の切り込み部分３は、ふた部分１の形状に合わせた、直線又は曲線と成るが、ふた部分１を、切り込みに部分３に入れやすくするために、切り込み部分３の両端に、縦にも切り込みを設けた物でも有効である。
【図面の簡単な説明】
【０００９】
【図１】この発明の基本的原理を示す斜視図である。
【図２】この発明の応用を示す斜視図である。
【図３】従来技術を示す斜視図である。
【符号の説明】
【００１０】１  ふた部分
２  胴部分
３  切り込み部分
【図１】
2007099390.tif 000003
【図２】
2007099390.tif 000004
【図３】
2007099390.tif 000005
(57)【要約】      （修正有）【課題】円筒状本体の外周壁内の螺刻部により水カートリッジ或いはペットボトルの注出口に螺着でき、その水カートリッジ或いはペットボトルを水受け容器に挿着により開弁して浄化水が流出でき、脱着によって閉弁となる浄化層ユニット弁を得る。【解決手段】  円筒状本体が外周壁内に螺刻部を設けた二層体となり、その円筒状本体の内壁部に活性炭繊維フィルター、イオン交換樹脂、セルガイア、繊維塵フィルターなどの浄化層を内設して浄化機能を設け、その浄化層の中心に孔をあけ、バネを巻着した開閉弁軸を挿着して後部のシリコン弁と連動するように構成し、円筒状本体の螺刻部により水カートリッジの注出口に螺着し、その水カートリッジを挿着させる水受け容器を設け、挿着で開弁して浄化された水の注出となり、脱着により閉弁する。【選択図】  図２
2007099387.tif 000002
【特許請求の範囲】
【請求項１】
円筒状本体が外周壁内に螺刻部を設けた二層体となり、その円筒状本体の内壁部に活性炭繊維フィルター、イオン交換樹脂、セルガイア、繊維塵フィルターなどの浄化層を内設して浄化機能を設け、その浄化層の中心に孔をあけ、バネを巻着した開閉弁軸を挿着して後部のシリコン弁と連動するように構成し、円筒状本体の螺刻部により水カートリッジの注出口に螺着し、その水カートリッジを挿着させる水受け容器を設け、挿着で開弁して浄化水の注出となり、脱着により閉弁することを特徴とする浄化層ユニット弁。
【請求項２】
前記円筒状本体の螺刻部によりペットボトルの注出口に螺着できる請求項１記載の浄化層ユニット弁。
【発明の詳細な説明】
【技術分野】
【０００１】    この発明は、水カートリッジ或いはペットボトルの注出口に螺着する浄化層ユニット弁に関する。
【背景技術】
【０００２】
【特許文献１】  特開２００２−３５５６７１号公報
【特許文献２】  特開２００２−３６１２３４号公報
【特許文献３】  特開２００３−３１１１６１号公報
【特許文献４】  特開２００５−０４６６８３号公報
【特許文献５】  特開２００５−０２１８３７号公報
【発明の開示】
【発明が解決しようとする課題】
【０００３】    従来の浄化装置では、水槽内に浄化装置を設けたり、水道の蛇口に取り付けた浄化装置があるが、水カートリッジ或いはペットボトルの注出口に取り付ける浄化装置はなく、水を使用する冷風扇や除湿機、或いは水槽を設けた機器では、カビや雑菌繁殖による衛生面で定期的な水槽内の清掃が必要となり、機器によっては注水口から注水する時に水が溢れる問題などがあった。【０００４】    本発明は、円筒状本体の内壁部に活性炭繊維フィルター、イオン交換樹脂、セルガイア、繊維塵フィルターなどの浄化層を内設した浄化機能を設け、その浄化層の中心に貫通するバネを巻着した開閉弁軸を挿着して後部のシリコン弁と連動するように構成され、円筒状本体の外周壁内の螺刻部により水カートリッジ或いはペットボトルの注出口に螺着でき、その水カートリッジ或いはペットボトルを水受け容器に挿着により開弁して浄化された水が流出でき、脱着によって閉弁となる浄化層ユニット弁の提供を目的とするものである。
【課題を解決するための手段】
【０００５】    前記の課題を達成するため、円筒状本体が外周壁内に螺刻部を設けた二層体となり、その円筒状本体の内壁部に活性炭繊維フィルター、イオン交換樹脂、セルガイア、繊維塵フィルターなどの浄化層を内設して浄化機能を設け、その浄化層の中心に孔をあけ、バネを巻着した開閉弁軸を挿着して後部のシリコン弁と連動するように構成し、円筒状本体の螺刻部により水カートリッジの注出口に螺着し、その水カートリッジを挿着させる水受け容器を設け、挿着で開弁して浄化された水の注出となり、脱着により閉弁する手段を講ずる。【０００６】    また、円筒状本体の螺刻部によりペットボトルの注出口に螺着できることが好ましい。
【発明の効果】
【０００７】    本発明の浄化層ユニット弁は、従来、冷風扇や除湿機、或いは水槽を設けた機器でに設けていた浄化装置とは違い、水カートリッジやペットボトルの注出口に簡単に螺着でき、大きなスペースを必要とせずコンパクトな形状となり、塩素臭、カルシュウム等の除去とカビや雑菌にも抗菌作用し、面倒な水槽の清掃も無くなり、また、水カートリッジやペットボトルを挿着するだけで簡単に注水が行えるので、直接注水する時のように水が溢れる心配も無くなるものである。
【発明を実施するための最良の形態】
【０００８】    発明の実施の形態を実施例にもとづき図面を参照して説明する。
図１〜図２で示す実施例では、円筒状本体１が外周壁内に螺刻部２を設けた二層体となり、その円筒状本体１の内壁部に活性炭繊維フィルター３、イオン交換樹脂４、セルガイア５、繊維塵フィルター６などの浄化層を内設して浄化機能を設け、その浄化層の中心に孔７をあけ、バネ８を巻着した開閉弁軸９を挿着して後部のシリコン弁１０と連動するように構成し、円筒状本体１の螺刻部２により水カートリッジ１１の注出口１２に螺着し、その水カートリッジ１１を挿着させる水受け容器１３を設けている。【０００９】    また、図３で示す実施例では、円筒状本体１の螺刻部２によりペットボトル１４の注出口１５に螺着できるようにしている。
【図面の簡単な説明】
【００１０】
【図１】  本発明の浄化層ユニット弁を水カートリッジに螺着した斜視図である。
【図２】  本発明の浄化層ユニット弁の実施例を示す断面図である。
【図３】  本発明の浄化層ユニット弁をペットボトルの注出口に螺着した斜視図である。
【符号の説明】
【００１１】    １  円筒状本体
２  螺刻部
３  活性炭繊維フィルター
４  イオン交換樹脂
５  セルガイア
６  繊維塵フィルター
７  孔
８  バネ
９  開閉弁軸
１０  シリコン弁
１１  水カートリッジ
１２  注出口
１３  水受け容器
１４  ペットボトル
１５  注出口
【図１】
2007099387.tif 000003
【図２】
2007099387.tif 000004
【図３】
2007099387.tif 000005